(57)【要約】【課題】集光部品を光検出素子と効率よく一体化し、簡便で位置合わせの精度が良好で、光検出素子性能を向上させる光学センサを提供する。【解決手段】光検出素子２の前面にフォトニック結晶立体素子９を一体化して形成し、次いで、フォトニック結晶立体素子に部分的に紫外線を照射して、紫外線を照射した部分の屈折率を変化させることにより、光検出素子の前面にフォトニック結晶レンズ９０を形成する光学センサ。要約するに、光検出素子２の前面に一体化形成したフォトニック結晶レンズ９０を具える光学センサ。【選択図】図１
2008256702.tif 000002
【特許請求の範囲】
【請求項１】
光検出素子と、その前面に形成されたバッファ層と、その前面に形成されたフォトニック結晶レンズとを具え、バッファ層は光検出部に対応する領域を除去して形成された空気層部を有することを特徴とする光学センサ。
【請求項２】
バッファ層が高熱伝導性の熱可塑性接着剤シートから成ることを特徴とする請求項１に記載の光学センサ。
【請求項３】
光検出素子は温接点となる赤外線吸収部と冷接点とを含み、温接点の上部がバッファ層に形成された空気層部に接し、冷接点の上部がバッファ層を介してフォトニック結晶レンズに接していることを特徴とする請求項２に記載の光学センサ。
【発明の詳細な説明】
【技術分野】
【０００１】
この発明は、光学センサに関し、特に、光検出素子と光検出素子に光線を導く集光部品とを有する光学センサにおいて、集光部品としてフォトニック結晶レンズを用いることにより、従来の集光部品を用いる場合と比較してより高感度化、高精度化、小型化された光学センサに関する。
【背景技術】
【０００２】
何れの型の光学センサも、光学センサの検出素子受光面に測定対象物から放射される光線を直接に受光させることもできるが、対象物から放射される光線を効率的に集光し、特定の波長域の光線のみを受光面に導くには検出素子受光面の前面に何らかの集光部品を配置する必要がある。
従来、この種の用に供される集光部品としては、レンズ、導波管、波長フィルタがある。受光面の前面に凸型のセラミックレンズを設置して赤外線を受光面に集光する例が開示されている（特許文献１  参照）。そして、赤外線を集光するバイナリレンズと共に、特定の波長の赤外線のみを通過させる波長フィルタを同時に形成した例が開示されている（特許文献２、３  参照）。また、反射集光部品を用いて赤外線入射面の背面に受光面を設置する例も開示されている（特許文献４  参照）。一方、赤外線を一定距離導波させて受光面に導く導波管を備えた例が開示されている（特許文献５  参照）。
【０００３】
ところで、屈折率の異なる媒質を周期的に配列させた人工結晶材料は、フォトニック結晶と呼ばれて既存の光学材料に依っては実現することができない様々の高度な光制御部材、例えば、負の屈折率によるスーパーレンズ効果を発揮する部材、低損失の急激屈曲光導波路、超小型の光集積回路を実現する技術として注目されている。フォトニック結晶は屈折率周期を電磁波の波長に合わせることにより、原理的に如何なる波長域の電磁波に対しても集光部品として用いることができる。現在、フォトニック結晶は光通信技術分野で既存の光素子を代替する技術として研究が活発に行われているが、フォトニック結晶を集光部品として用いる素子利用形態は今までのところ報告されていない。以降、フォトニック結晶を用いた集光機能を有する素子をフォトニック結晶レンズと称す。
【特許文献１】特開２００１−２８１０５３号  公報
【特許文献２】特開２００１−３４９７８５号  公報
【特許文献３】特開２００２−４８６４６号  公報
【特許文献４】特開２００１−４８６３７号  公報
【特許文献５】特公平５−２８６２１号  公報
【発明の開示】
【発明が解決しようとする課題】
【０００４】
上述した赤外線センサは、感度をより高くすることおよび測定精度をより高くすることを要請されており、この光検出素子に適用される現状の集光部品についても種々の問題が指摘されている。
特許文献５には、導波管を用いて赤外光を赤外線検出素子の受光部に導く方法が提示されているが、導波管が風の如き外界の影響を受けると、導波管と、赤外線検出素子を形成した基準温度となるべき基板との間に温度差が生じ、導波管内面から放出される誤差赤外線も検出して測定精度が低下する問題があった。
【０００５】
特許文献２、３は、赤外線を集光するバイナリレンズと共に、レンズを形成した基板上に特定の波長の赤外線のみを通過させる波長フィルタを同時に形成する構成を具備している。波長フィルタとレンズが一体化されてはいるが、波長領域を絞る多層膜による波長フ
ィルタを形成する必要があり、レンズの加工と波長フィルタの成膜がそれぞれ別々の製造工程になるという問題があった。
【０００６】
また、特許文献２は、バイナリレンズの一部をサーモパイルチップを形成した基板上の冷接点に接合させることにより、レンズと冷接点の温度差を小さくして測定精度を上げるものであるが、これにはレンズと赤外線検出素子とが非常に接近しているところから赤外線を充分に集光することができず、感度が落ちるという問題があった。この問題を解決するに、特許文献３は、バイナリレンズを回路基板を挟んで一定距離だけ離す提案であるが、集光部品と赤外線検出素子との間の位置関係に制約が生じる問題があった。即ち、集光部品としてレンズを用いた場合は、レンズと赤外線検出素子を接近させることによる測定精度の向上と赤外線を充分に集光する感度の向上の両立を達成することができないという問題があった。
【０００７】
特許文献４においては、反射集光部品を用いて赤外線検出素子の受光面に集光させている。入射角を制限することにより、誤差となる外部からの熱の影響を低減できるという利点があるが、対象物からの信号赤外線と凹面反射鏡の間に赤外線検出素子が入る構造のため赤外線の一部は赤外線検出素子によって遮蔽され、感度が悪くなるという問題があった。
特許文献３は、赤外線センサの光軸と入射する赤外線の光軸がずれた場合でも温度測定の精度を維持するために、レンズと赤外線検出素子を複数形成した赤外線センサを提案している。しかし、この方法は素子が大きくなり、製造コストが高くなるという問題があった。
【０００８】
ところで、フォトニック結晶を集光部品として用いる素子利用形態は、上述した通り、今までのところ報告されてはいないが、このフォトニック結晶レンズを単体で製造して赤外線センサその他のデバイスと複合化、一体化しようとすると、別々に製造して精密な位置合わせを行って一体化する工程が必要であり、工程が複雑になり、製造コストが高くなるという問題があった。
【０００９】
以上の通り、光学センサの集光部品は、測定精度の向上、感度の高度化、小型化、製造コストの低減化の実現には、集光部品と光検出素子の間の互いの位置関係をなるべく接近或いは接触する配置にすること、互いの位置を接近或いは接触させた位置関係で、且つ光線を充分に集光して集光スポットを小さくすること、光線の入射角依存性、光軸敏感性を小さくすること、或いは用途によっては入射角を制限、指向性を制御すること、レンズおよび波長フィルタの如き必要な光線制御部材を集積化して一つの製造工程で製造すること、更に、光線検出素子と集光部品を一体化する際の位置合わせ精度の向上、製造工程の簡略化、を達成することを要請される。
【００１０】
この発明は、従来の光学センサに内在する上述の問題を、フォトニック結晶レンズより成る集光部品を採用し、フォトニック結晶レンズを光検出素子と効率よく一体化し、簡便で位置合わせ精度が良好で、光検出素子性能を向上させる光学センサおよびその製造方法を提供するものである。
【課題を解決するための手段】
【００１１】
請求項１：光検出素子と、その前面に形成されたバッファ層と、その前面に形成されたフォトニック結晶レンズとを具え、バッファ層は光検出部に対応する領域を除去して形成された空気層部を有することを特徴とする光学センサ。
請求項２：バッファ層が高熱伝導性の熱可塑性接着剤シートから成ることを特徴とする請求項１に記載の光学センサ。
請求項３：光検出素子は温接点となる赤外線吸収部と冷接点とを含み、温接点の上部がバッファ層に形成された空気層部に接し、冷接点の上部がバッファ層を介してフォトニック結晶レンズに接していることを特徴とする請求項２に記載の光学センサ。
【発明の効果】
【００１２】
この発明は、集光部品としてフォトニック結晶レンズを用いることにより、集光部品と光検出素子とを接近させた状態で、特定の波長領域の光線を低損失で受光部に導き、光線を小さいスポットに集光し、光軸が受光面とずれている場合でも効率的に集光することができるので、光学センサを高感度化することができる。そして、フォトニック結晶の一部と光検出素子を形成した基板を接近、接触させることにより、ノイズとなる光線の発生を抑えて測定精度を向上することができる。また、集光、波長選択、入射角制御、シャッタをフォトニック結晶中に集積化し、少ない製造プロセスで製造することにより、フォトニック結晶一つで必要とされる光線の制御をすることができ、低コストで小型の光学センサを提供することができる。
【発明を実施するための最良の形態】
【００１３】
赤外線を受光してこれを電気信号に変換する赤外線検出素子と赤外線を赤外線検出素子に導く集光部品とを有する光学センサの製造方法において、基板表面に光検出素子を形成し、光検出素子の上面に一体化してフォトニック結晶レンズを形成する。ここで、フォトニック結晶レンズの屈折率周期構造を形成する工程として、２種類の屈折率の異なる材料でフォトニック結晶の立体素子を形成し、その後、フォトニック結晶の立体素子に紫外線を照射して内部に第３の屈折率を示す部分を形成する工程を有する。
【００１４】
そして、赤外線を受光してこれを電気信号に変換する赤外線検出素子と、赤外線を赤外線検出素子に導く集光部品とを有する赤外線センサにおいて、この集光部品としてフォトニック結晶レンズを用い、フォトニック結晶レンズが少なくとも３種類の異なる屈折率材料から構成され、フォトニック結晶は銀含有ガラスの如き高屈折率材料と空気の周期構造を用いるものである。
また、フォトニック結晶レンズをインクジェット装置から吐出した球状粒子を積層して作製し、吐出させるに際してノズルの温度を調整することにより吐出した球状粒子に屈折率変化を付与する工程を有する。
【００１５】
更に、赤外線を受光してこれを電気信号に変換する赤外線検出素子と、赤外線を赤外線検出素子に導く集光部品とを有する赤外線センサの製造方法において、基板上に形成した
赤外線検出素子の赤外線吸層の上部にバッファ層を形成し、その上に一体化してフォトニック結晶レンズを形成した後、フォトニック結晶レンズに赤外線を入射してそのエネルギーによりバッファ層の一部を除去する工程を用いる。ここで、インクジェット装置の液体吐出方式としては如何なるものであっても用いることができ、ピエゾ素子を用いた方式、加熱によるバブルジェット（登録商標）方式、所謂ディスペンサーの様な方式、その他の各種の方式を用いることができる。
【００１６】
以下、発明を実施するための最良の形態を図の実施例を参照して説明する。
［実施例１］
実施例１を図１を参照して説明する。図１（ｂ）は図１（ａ）における線ａ−ａ’に沿った断面を示す図である。
基板として、図示されない表面酸化層を形成したＳｉ基板１を使用する。Ｓｉ基板１の表面にサーモパイル型赤外線検出素子２を形成した。サーモパイル型赤外線検出素子２は、基板１の表面に形成されたダイアフラム層２１、ダイアフラム層２１の表面に形成されるｎ型半導体とｐ型半導体より成る熱電材料２２および電極２３により構成される。次いで、ダイアフラム層２１を含むサーモパイル型赤外線検出素子２の表面に電気絶縁薄膜であるパッシベーション層２４としてＳｉＯ2 薄膜をスパッタ法により形成した。そして、サーモパイル型赤外線検出素子２の温接点に赤外線吸収部２５として黒化金を蒸着により形成した。更に、基板１の表面に突出形成されたサーモパイル型赤外線検出素子２に対して、シリコンのアルコキシドを用いたＳｉＯ2 系ゾルゲル溶液をスピンコートし、その上から図示されない平坦な基板で加圧して平坦化層２６を形成する。
【００１７】
この実施例１は、以上のサーモパイル型赤外線検出素子２の上面に直接に集光部品であるフォトニック結晶レンズ９０を形成する。以下、説明する。
フォトニック結晶レンズ９０を構成する原材料として、Ａｇ2 Ｏ−ＴｉＯ2 −ＳｉＯ2 系ゾルゲルガラスより成る銀含有ガラスを用いる。先ず、チタンのアルコキシドとシリコンのアルコキシドおよび硝酸銀を混合して、ゾルゲル溶液を調整する。このゾルゲル溶液をサーモパイル型赤外線検出素子２の上面に相当する平坦化層２６にスピンコートし、ゾルゲル膜を形成する。この膜厚は、フォトニック結晶デバイスの設計に依存するが、実施例はこれを３μｍとしている。そして、平坦な基板で加圧し、可塑性を示す程度に加熱して銀含有ガラス層３１を形成する。ここで、Ｓｉの柱が周期的にマトリクス状に配列形成された図示されない型をリソグラフィとエッチングにより製造して準備しておき、この型を銀含有ガラス層３１に押し付けることにより、膜厚３μｍ、孔直径３μｍ、周期４μｍの銀含有ガラスパターン３１’が形成される。
【００１８】
銀を含有しないＳｉＯ2 系ゾルゲル溶液を銀含有ガラスパターン３１’の表面にスピンコートし、ゾルゲル膜を形成する。そして、平坦な基板で加圧し、可塑性を示す程度に加熱してＳｉＯ2 ガラス層４１を形成する。このＳｉＯ2 ガラス層４１に先の型を押し付けることにより、膜厚３μｍ、孔直径３μｍ、周期４μｍのＳｉＯ2 ガラスパターン４１’を形成する。このＳｉＯ2 ガラス層４１に型を押し付ける場合、型に対して、型に周期的にマトリクス状に配列形成されている柱が、銀含有ガラスパターン３１’に既に形成された型の柱による孔に対して適切な位置に位置決め調整をし、押し付けを実行する。引き続いて、銀含有ガラスパターン３２’、ＳｉＯ2 ガラスパターン４２’を形成し、以降において更に、銀含有ガラスパターン、ガラスパターンを順次に交互に形成することにより、３次元フォトニック結晶の立体素子９を構成する。
【００１９】
以上の３次元フォトニック結晶立体素子９に対して、紫外線をレンズにより焦点を絞って斜線３０の形状に照射する。この紫外線照射により、銀含有ガラスパターン３１’、３２’、・・・・の内部には金属銀が析出する。金属銀が析出することにより、銀含有ガラスパターンの屈折率は変化する。銀含有ガラスパターンの屈折率の変化は、銀含有ガラスパターンの屈折率と銀を含有しないガラスパターンの屈折率との間の屈折率の差を増大する。銀含有ガラスパターンの屈折率と銀を含有しないガラスパターンの屈折率の間の屈折率の差が増大することにより、３次元フォトニック結晶立体素子９に効率的なレンズ効果が付与された３次元フォトニック結晶レンズ９０が形成されることになる。
【００２０】
［実施例２］
実施例２を図２を参照して説明する。実施例２においても、サーモパイル型赤外線検出素子２の形成の仕方は、図１の実施例１と同様である。即ち、基板として図示されない表面酸化層を形成したＳｉ基板１を使用する。Ｓｉ基板１の表面にサーモパイル型赤外線検出素子２を形成した。サーモパイル型赤外線検出素子２は、基板１の表面に形成されたダイアフラム層２１、ダイアフラム層２１の表面に形成されたｎ型半導体とｐ型半導体より成る熱電材料２２および電極２３により構成される。次いで、ダイアフラム層２１を含むサーモパイル型赤外線検出素子２の表面に電気絶縁薄膜であるパッシベーション層２４としてＳｉＯ2 薄膜をスパッタ法により形成した。そして、サーモパイル型赤外線検出素子２の温接点に赤外線吸収部２５として黒化金を蒸着により形成した。
【００２１】
図２の実施例２は、サーモパイル型赤外線検出素子２の上面に集光部品を一体化して形成するに、実施例１とは異なる次の通りの工程を採用する。
銀含有ガラス材料自体は実施例１と同一の、Ａｇ2 Ｏ−ＴｉＯ2 −ＳｉＯ2 系ゾルゲルガラスを用いる。先ず、チタンのアルコキシドとシリコンのアルコキシドおよび硝酸銀を混合し、ゾルゲル溶液を調整する。このゾルゲル溶液をインクジェット装置５に充填し、ノズル５１からゾルゲル溶液の球状粒子５０を吐出させ、これを３次元的に積み重ねて行くことにより、３次元フォトニック結晶立体素子９を製造する。球状粒子５０の直径は４μｍに調整する。ノズル５１に高温用温度調節部５１１を構成し、これによりインクジェット装置５のノズル５１の温度を調整することにより、吐出するゾルゲルガラスの球状粒子５０に金属銀を析出させることができる。図２の如くに低屈折率粒子層５２および高屈折率粒子層５３をパターニングすることにより、３次元フォトニック結晶立体素子９に効率的なレンズ効果が付与された３次元フォトニック結晶レンズ９０が形成されることになる。ゾルゲルガラス中に金属銀が析出するノズル先端温度は３５０℃程度以上である。
【００２２】
［実施例３］
実施例３を図３および図４を参照して説明する。
実施例３においても、サーモパイル型赤外線検出素子２の形成の仕方は、実施例１、２と同様である。即ち、基板として図示されない表面酸化層を形成したＳｉ基板１を使用する。Ｓｉ基板１の表面にサーモパイル型赤外線検出素子２を形成した。サーモパイル型赤外線検出素子２は、基板１の表面に形成されたダイアフラム層２１、ダイアフラム層２１の表面に形成されたｎ型半導体とｐ型半導体より成る熱電材料２２および電極２３により構成される。次いで、ダイアフラム層２１を含むサーモパイル型赤外線検出素子２の表面に電気絶縁薄膜であるパッシベーション層２４としてＳｉＯ2  薄膜をスパッタ法により形成した。そして、サーモパイル型赤外線検出素子２の温接点に赤外線吸収部２５として黒化金を蒸着により形成した。
【００２３】
実施例３は、サーモパイル型赤外線検出素子２の上面に集光部品である３次元フォトニック結晶レンズ９０を一体化して形成するに、次の通りの工程を採用する。
先ず、サーモパイル型赤外線検出素子２上面に熱可塑性接着剤シートより成るバッファ層６を貼り付けておく。熱可塑性接着剤シートとしては、Techno Alpha Co.,Ltd.のフィ
ルムタイプ５０μｍ厚みの熱可塑性接着剤STAYSTIKを採用することができる。このバッファ層６としては、導電性、絶縁性その他の種々の特性を有するものを選択することができるが、実施例３は絶縁性で高熱伝導性のタイプの接着剤シートをバッファ層６として選択した。これは、サーモパイル型赤外線検出素子２の配線上にもそのまま貼り付けることができ、且つサーモパイル型赤外線検出素子２の冷接点のヒートシンクとしても動作するからである。
【００２４】
この熱可塑性接着剤シートより成るバッファ層６の上面に、実施例２と同様にして３次元フォトニック結晶立体素子９を形成する。即ち、銀含有ガラス材料は実施例２と同一のＡｇ2 Ｏ−ＴｉＯ2 −ＳｉＯ2 系ゾルゲルガラスを用いる。先ず、チタンのアルコキシドとシリコンのアルコキシドおよび硝酸銀を混合し、ゾルゲル溶液を調整する。図３（ａ）、（ｂ）を参照するに、このゾルゲル溶液をインクジェット装置５に充填し、ノズルからゾルゲル溶液の球状粒子５０を吐出させて、これを２次元に積み重ねて行くことにより、３次元フォトニック結晶立体素子９を製造する。球状粒子５０の直径は４μｍに調整する。インクジェット装置５のノズル５１の温度を調整することにより、吐出するゾルゲルガラスの球状粒子５０に金属銀を析出させることができ、これをパターニングすることにより、３次元フォトニック結晶立体素子９に効率的なレンズ効果を付与することができる。ゾルゲルガラス中に金属銀が析出するノズル先端温度は３５０℃程度以上である。
【００２５】
実施例３において、バッファ層６は溶解するリフロー温度が１７０℃程度の材料であるので、内部で金属銀が析出する球状粒子はバッファ層６に到達する迄に冷却せしめられている必要がある。これに対応して、インクジェット装置５のノズル５１の形状構造を工夫して、高温用温度調整部５１１の下側に低温用温度調整部５１２を付加するか、或いは環境温度を低温にする工夫を行っている。
【００２６】
３次元フォトニック結晶レンズ９０を形成した後、サーモパイル型赤外線検出素子２の上面の温接点である赤外線吸収部２５の上面に位置するバッファ層６を除去する。フォトニック結晶レンズ９０に矢印の向きに赤外線を照射し、赤外線吸収部２５に収束せしめてその温度をリフロー温度（１７０℃）或いは熱分解温度（２００℃）迄上昇させることにより、バッファ層６の赤外線吸収部２５に対応する領域を加熱する。この加熱工程はイソプロピルアルコール中において実施し、先の材料より成るバッファ層６を溶解除去する。フォトニック結晶レンズ９０を以上の通りに巧みに利用することにより赤外線吸収部２５の上部のバッファ層のみを除去することができる。即ち、赤外線吸収部２５が赤外線を吸収して効率よく温度上昇することが高感度な赤外線センサの実現につながる訳であるが、これには赤外線吸収部２５の熱伝導率を低くして熱伝導に起因する温度低下を小さくすることが望ましい。空気は非常に低い熱伝導率を有しているので、赤外線吸収部２５の上部は空気層６１とすることが、赤外線センサの感度、効率を著しく上昇させることになる。一方、冷接点の温度はヒートシンクを設けて周囲温度と同等の温度にすると好適である。この実施例３はバッファ層６を高熱伝導率の材料を用いて構成することによりこれを実現している。
【００２７】
［実施例４］
実施例４を図５および図６を参照して説明する。
実施例４は、実施例３において、赤外線吸収部２５の上面のバッファ層６を除去する方法としてイソプロピルアルコールを用いることはせずに、赤外線吸収部２５の周辺の平坦化層２６にリソグラフィとエッチングにより、図５（ｂ）に示される如くバッファ層溜り２６１を予め形成しておく。３次元フォトニック結晶レンズ９０を形成した後、フォトニック結晶レンズ９０に、図６（ｃ）に示される如く矢印の向きに赤外線を照射する。これにより、赤外線吸収部２５の温度をリフロー温度の１７０℃近傍の温度まで上昇させ、溶けたバッファ層６をバッファ層溜り２６１に流入せしめることにより、図６（ｄ）に示される如く赤外線検出素子の温接点に対応する赤外線吸収部２５の上部のバッファ層６を除去して空気層６１を形成することができる。
【００２８】
［実施例５］
実施例５を図７を参照して説明する。
実施例５は実施例１の赤外線センサのフォトニック結晶レンズ９０の上面にフォトニック結晶をフィルタ７として形成した例に相当する。このフォトニック結晶フィルタ７は、フォトニック結晶レンズ９０の上面にゾルゲルガラスの膜厚を変化させてスピンコートすることにより形成する。この実施例はスピンコートの膜厚を２μｍとしたが、この膜厚を変化させることによりフィルタリング特性を制御することができる。
【００２９】
［比較例１］
図８を参照して比較例１を説明するに、比較例１のサーモパイル型赤外線検出素子２の形成の仕方は図１の実施例１と同様である。即ち、Ｓｉ基板１の表面にサーモパイル型赤外線検出素子２を形成した。サーモパイル型赤外線検出素子２は、基板１の表面に形成されたダイアフラム層２１、ダイアフラム層２１の表面に形成されたｎ型半導体とｐ型半導体より成る熱電材料２２および電極２３により構成される。次いで、ダイアフラム層２１を含むサーモパイル型赤外線検出素子２の表面に電気絶縁薄膜であるパッシベーション層２４としてＳｉＯ2 薄膜をスパッタ法により形成した。そして、サーモパイル型赤外線検出素子２の温接点に赤外線吸収部２５として黒化金を蒸着により形成した。比較例１はフォトニック結晶レンズ９０の代わりに凸レンズ８を用いている。
【００３０】
ここで、実施例１ないし実施例４と比較例１を、素子効率、感度、素子の外形寸法の観点で比較した。
レンズに入射した光が赤外線吸収部に集光する割合については、実施例１はほぼ１００％の赤外線を集光することができるのに対して、比較例１は３０％程度にしか過ぎなかった。そして、素子の厚みについては、実施例１はフォトニック結晶レンズは１００μｍ程度の厚みであるのに対して、比較例１は赤外線吸収部から凸レンズ８上面までの距離は１ｍｍ以上を必要とした。また、素子効率について、実施例３と比較例１を比較すると、赤外線吸収部の温接点は上部が空気層であることは両者共に同様であるが、実施例３は冷接点が高熱伝導性のバッファ層６を介してフォトニック結晶レンズに接触しており、フォトニック結晶レンズがヒートシンクとなって冷接点を外気温に素早く均一化するのに対して、比較例１は冷接点の上部は空気層となっており、熱伝導は基板のみからしか行われないので冷却効率は悪い。更に、レンズによる集光ビームの位置ずれについては、比較例１はレンズから熱電素子までの距離が長いので組み立て精度の影響が強く現われるのに対して、実施例は、何れも、熱電素子に直接レンズを作り込むのでレンズと熱電素子の光軸がずれることはない。
【００３１】
以上の通り、赤外線センサの実施例１ないし実施例４は、素子効率が高く、高感度で、素子の外形寸法が小さい。そして、これらの実施例は、本質的に組み立て精度が高いので生産性がよい。
フォトニック結晶レンズにフォトニック結晶フィルタを複合形成した赤外線センサの実施例５は、素子構造、製造プロセスが非常に簡単である。これは同様な考え方で、フォトニック結晶で実現できる素子、例えば、スイッチ、シャッタ、チューナブルフィルタ、アッテネータ、導波路も複合化することができる。そして、上述した赤外線素子、基板、パッシベーション層、赤外線吸収部、フォトニック結晶、バッファ層の材質、種類、その形状は、特に、制限を受けるものではなく、公知のものの何れも用いることができる。
【図面の簡単な説明】
【００３２】
【図１】実施例１を説明する図。
【図２】実施例２を説明する図。
【図３】実施例３を説明する図。
【図４】図３の続き。
【図５】実施例４を説明する図。
【図６】図５の続き。
【図７】実施例５を説明する図。
【図８】比較例１を説明する図。
【符号の説明】
【００３３】
１  基板                      ２  サーモパイル型赤外線検出素子
２１  ダイアフラム層          ２２  熱電材料
２３  電極                    ２４  パッシベーション層
２５  光検出部            ２６  平坦化層
２６１  バッファ層溜り          ３０  斜線
３１  銀含有ガラス層          ３１’銀含有ガラスパターン
３２’銀含有ガラスパターン    ４１  ＳｉＯ2 ガラス層
４１’ＳｉＯ2 ガラスパターン  ４２’ＳｉＯ2 ガラスパターン
５  インクジェット装置      ５０  球状粒子
５１  ノズル                ５１１  高温用温度調節部
５１２  低温用温度調整部        ５２  低屈折率粒子層
５３  高屈折率粒子層          ６  バッファ層
６１  空気層                    ７  フォトニック結晶フィルタ
８  凸レンズ                  ９  ３次元フォトニック結晶立体素子
９０  フォトニック結晶レンズ
【図１】
2008256702.tif 000003
【図２】
2008256702.tif 000004
【図３】
2008256702.tif 000005
【図４】
2008256702.tif 000006
【図５】
2008256702.tif 000007
【図６】
2008256702.tif 000008
【図７】
2008256702.tif 000009
【図８】
2008256702.tif 000010